(57)【要約】【課題】配置上の制約がなく，しかも作動初期にオイルをダンパ油室に迅速に供給することができて，ダンパ油室の作動遅れを生じさせない油圧制御弁を提供する。【解決手段】リニアソレノイド部Ｓ，このリニアソレノイド部Ｓの出力により前進駆動されるスプール２２，このスプール２２を嵌装するバルブボディ２０，及びスプール２２を後退方向に付勢する戻しばね２３を備え，バルブボディ２０には，スプール２２をリニアソレノイド部Ｓの出力と対抗すべく押圧する油圧を出力ポート３８から導入する反力油室３５と，スプール２２の制振を行うダンパ油室３６とを設けた油圧制御弁において，バルブボディ２０に，反力油室３６にスプール２２の第３ランド部２５3 を挟んで隣接するダンパ油室３６を設け，反力油室３６からダンパ油室３６にオイルをリーク供給し得る摺動間隙ｇを第３ランド部２５3 及びバルブボディ２０間に設けた。【選択図】      図３
2006307942.tif 000002
【特許請求の範囲】
【請求項１】
リニアソレノイド部（Ｓ），このリニアソレノイド部（Ｓ）の出力により前進駆動されるスプール（２２），このスプール（２２）を摺動可能に嵌装するバルブボディ（２０），及び前記スプール（２２）を後退方向に付勢する戻しばね（２３）を備え，前記バルブボディ（２０）には，油圧源（４２）に連なる供給ポート（３７）と，油圧作動部（４４）に連なる出力ポート（３８）と，オイルタンク（４６）に開放されるドレーンポート（３９）とを設け，前記スプール（２２）を，該スプール（２２）の後退限では前記供給ポート（３７）及び出力ポート（３８）間を遮断して前記出力ポート（３８）及びドレーンポート（３９）間を導通し，該スプール（２２）の前進により前記出力ポート（３８）及びドレーンポート（３９）間を遮断して前記供給ポート（３７）及び出力ポート（３８）間を導通するように構成し，前記バルブボディ（２０）には，前記スプール（２２）を前記リニアソレノイド部（Ｓ）の出力と対抗する方向に押圧する油圧を前記出力ポート（３８）から導入する反力油室（３５）と，前記スプール（２２）の一端面を臨ませて該スプール（２２）の制振を行うダンパ油室（３６）とを設けた油圧制御弁において，
前記スプール（２２）には，その前進・後退に応じて前記出力ポート（３８）及びドレーンポート（３９）間を遮断・導通するように前記バルブボディ（２０）内を摺動する第１ランド部（２５1 ）と，またその前進・後退に応じて前記供給ポート（３７）及び出力ポート（３８）間を導通・遮断するように前記バルブボディ（２０）内を摺動する第２ランド部（２５2 ）と，この第２ランド部（２５2 ）より小径で前記バルブボディ（２０）内を摺動する第３ランド部（２５3 ）とを前記リニアソレノイド部（Ｓ）側から順次形成し，前記バルブボディ（２０）には，前記第２及び第３ランド部（２５3 ）の境界部を臨ませて前記出力ポート（３８）と連通する反力油室（３５）と，この反力油室（３５）に前記第３ランド部（２５3 ）を挟んで隣接するダンパ油室（３６）とを設け，この反力油室（３５）からダンパ油室（３６）にオイルをリーク供給し得る摺動間隙（ｇ）を前記第３ランド部（２５3 ）及びバルブボディ（２０）間に設けたことを特徴とする油圧制御弁。
【請求項２】
請求項１記載の油圧制御弁において，
前記第３ランド部（２５3 ）に，前記反力油室（３５）の油圧を受けて該第３ランド部（２５3 ）に調心力を付与する調心手段（２５3 ｂ）を設けたことを特徴とする油圧制御弁。
【請求項３】
請求項２記載の油圧制御弁において，
前記第２ランド部（２５2 ）に，前記供給ポート（３７）の油圧を受けて該第２ランド部（２５2 ）に調心力を付与する調心手段（２５2 ｂ）を設けたことを特徴とする油圧制御弁。
【請求項４】
請求項２又は３記載の油圧制御弁において，
前記調心手段を，各前記ランド部（２５1 〜２５3 ）外周面の一部に形成されて全周面に油圧を受ける縮径円筒面（２５3 ｃ）で構成したことを特徴とする油圧制御弁。
【発明の詳細な説明】
【技術分野】
【０００１】
本発明は，リニアソレノイド部，このリニアソレノイド部の出力により前進駆動されるスプール，このスプールを摺動可能に嵌装するバルブボディ，及び前記スプールを後退方向に付勢する戻しばねを備え，前記バルブボディには，油圧源に連なる供給ポートと，油圧作動部に連なる出力ポートと，オイルタンクに開放されるドレーンポートとを設け，前記スプールを，該スプールの後退限では前記供給ポート及び出力ポート間を遮断して前記出力ポート及びドレーンポート間を導通し，該スプールの前進により前記出力ポート及びドレーンポート間を遮断して前記供給ポート及び出力ポート間を導通するように構成し，前記バルブボディには，前記スプールを前記リニアソレノイド部の出力と対抗する方向に押圧する油圧を前記出力ポートから導入する反力油室と，前記スプールの一端面を臨ませて該スプールの制振を行うダンパ油室とを設けた油圧制御弁の改良に関する。
【背景技術】
【０００２】
従来のかゝる油圧制御弁の一例を図７に示す。このものでは，バルブボディの，少なくともリニアソレノイド部と反対側の先端部をオイルタンクの油中に浸漬し，その油中にオリフィスを介して連通するダンパ油室をバルブボディに設けて，ダンパ油室を常時オイルで満たし，スプールの振動時，オリフィスのオイルに対する絞り抵抗により，スプールを制振するようにしている。
【発明の開示】
【発明が解決しようとする課題】
【０００３】
上記のような従来の油圧制御弁は，ダンパ油室にオイルを満たすべく，ダンパ油室をオイルタンクの油中に浸漬しておかなければならない，という配置上の制約がある。しかも，オイルタンク内の油面とダンパ油室間の落差は比較的小さいので，その落差を利用しての，オイルタンクからダンパ油室へのオイルの供給には迅速性を欠き，油圧制御弁の作動初期にダンパ油室の作動遅れが発生する虞がある。
【０００４】
本発明は，かゝる事情に鑑みてなされたもので，オイルタンクに対する配置上の制約がなく，しかも作動初期にオイルをダンパ油室に迅速に供給することができて，ダンパ油室の作動遅れを生じさせない前記油圧制御弁を提供することを目的とする。
【課題を解決するための手段】
【０００５】
本発明は，上記目的を達成するために，リニアソレノイド部，このリニアソレノイド部の出力により前進駆動されるスプール，このスプールを摺動可能に嵌装するバルブボディ，及び前記スプールを後退方向に付勢する戻しばねを備え，前記バルブボディには，油圧源に連なる供給ポートと，油圧作動部に連なる出力ポートと，オイルタンクに開放されるドレーンポートとを設け，前記スプールを，該スプールの後退限では前記供給ポート及び出力ポート間を遮断して前記出力ポート及びドレーンポート間を導通し，該スプールの前進により前記出力ポート及びドレーンポート間を遮断して前記供給ポート及び出力ポート間を導通するように構成し，前記バルブボディには，前記スプールを前記リニアソレノイド部の出力と対抗する方向に押圧する油圧を前記出力ポートから導入する反力油室と，前記スプールの一端面を臨ませて該スプールの制振を行うダンパ油室とを設けた油圧制御弁において，前記スプールには，その前進・後退に応じて前記出力ポート及びドレーンポート間を遮断・導通するように前記バルブボディ内を摺動する第１ランド部と，またその前進・後退に応じて前記供給ポート及び出力ポート間を導通・遮断するように前記バルブボディ内を摺動する第２ランド部と，この第２ランド部より小径で前記バルブボディ内を摺動する第３ランド部とを前記リニアソレノイド部側から順次形成し，前記バルブボディには，前記第２及び第３ランド部の境界部を臨ませて前記出力ポートと連通する反力油室と，この反力油室に前記第３ランド部を挟んで隣接するダンパ油室とを設け，この反力油室からダンパ油室にオイルをリーク供給し得る摺動間隙を前記第３ランド部及びバルブボディ間に設けたことを第１の特徴とする。
【０００６】
また本発明は，第１の特徴に加えて，前記第３ランド部に，前記反力油室の油圧を受けて該第３ランド部に調心力を付与する調心手段を設けたことを特徴とする油圧制御弁。
【０００７】
さらに本発明は，第２の特徴に加えて，前記第２ランド部に，前記供給ポートの油圧を受けて該第２ランド部に調心力を付与する調心手段を設けたことを第３の特徴とする。
【０００８】
尚，前記調心手段は，後述する本発明実施例中のテーパ面２５2 ｂに対応する。
【０００９】
さらにまた本発明は，第２又は第３の特徴に加えて，前記調心手段を，各前記ランド部外周面の一部に形成されて全周面に油圧を受ける縮径円筒面で構成したことを第４の特徴とする。
【発明の効果】
【００１０】
本発明の第１の特徴によれば，リニアソレノイド部が作動すると，その出力によりスプールが前進して，出力ポート及びドレーンポート間が遮断されると共に，供給ポート及び出力ポート間が導通し，その出力ポートから反力油室に油圧が即座に供給され，そして第３ランド部及びバルブボディ間の摺動間隙を介して隣のダンパ油室に積極的にリーク供給されることになる。したがって，ダンパ油室を，油圧制御弁の作動初期から遅れなくオイルで満たすことができるので，ダンパ油室は，常にスプールに対して良好な制振機能を発揮することができる。しかもダンパ室は，従来のようにオイルタンクの油中に浸漬させる必要もないから油圧制御弁の配置の制約がなくなり，汎用性を高めることができる。
【００１１】
また本発明の第２の特徴によれば，第３ランド部及びバルブボディ間の摺動間隙が比較的大きいことから，その摺動間隙を通るリークオイルにより第３ランド部がサイドスラストを受けて側方に片寄せされた場合でも，調心手段が反力油室の油圧を受けて第３ランド部に調心力を付与するので，第３ランド部のバルブボディに対する円滑な摺動を確保することができる。
【００１２】
さらに本発明の第３の特徴によれば，第２ランド部が何らかの原因でサイドスラストを受けて側方に片寄せされた場合でも，調心手段が反力油室の油圧を受けて第２ランド部に調心力を付与するので，第３ランド部も調心力を付与されることゝ相俟って，スプールのバルブボディに対する円滑な摺動を確保することができる。
【００１３】
さらにまた本発明の第４の特徴によれば，ランド部がサイドスラストにより側方に片寄せされた場合でも，縮径円筒面はバルブボディの内周面に接触せず，その全周面に油圧を受けることにより，該ランド部に調心力を付与することができる。したがって縮径円筒面をランド部の外周面に設けるという，極めて簡単な構造により調心手段を構成することができる。しかもこの縮径円筒面は，前記テーパ面より加工が容易である。
【発明を実施するための最良の形態】
【００１４】
本発明の実施の形態を，添付図面に示す本発明の好適な実施例に基づいて以下に説明する。
【００１５】
添付図面において，図１は本発明の第１実施例に係る油圧制御弁の底面図，図２は図１の２−２線拡大断面図，図３は図１の３−３線拡大断面図，図４は図１及び図３の３−３線断面図，図５は本発明の第２実施例を示す，図３との対応図，図６は本発明の第３実施例を示す，図３との対応図である。
【００１６】
先ず，図１〜図４に示す本発明の第１実施例より説明する。
【００１７】
図１において，油圧制御弁１は，例えば自動車用自動変速機におけるクラッチ油圧の制御用であって，リニアソレノイド部Ｓとバルブ部Ｖとからなっており，そのバルブ部Ｖのバルブボディ２０が自動車のミッションケース２（図４参照）の取り付け２ｆにボルト５により接合される。
【００１８】
図２に示すように，リニアソレノイド部Ｓは，磁性体よりなる一端を開放した有底円筒状のハウジング３，このハウジング３に収容されるコイル組立体４，ハウジング３の閉塞端壁に一体に連設されてコイル組立体４の内側に配置される円筒状のヨーク６，ハウジング３の開放端に結合されると共に，コイル組立体４の内側でヨーク６と所定の間隔を存して対置される固定コア７，及びヨーク６及び固定コア７に摺動可能に嵌装される可動コア８を備える。コイル組立体４は，合成樹脂製のボビン９と，これに巻装されたコイル１０と，これらを収容するように成形された合成樹脂製のコイルケース１１よりなるもので，そのコイルケース１１に一端部には，ハウジング３外方に突出するカプラ１２が一体に連設され，このカプラ１２内にコイル１０に連なる接続端子１３が配設される。
【００１９】
ヨーク６の，固定コア７との対向面は，その軸線に対して垂直に形成され，また固定コア７の，ヨーク６との対向面は円錐状に形成される。
【００２０】
可動コア８には，その中心部を貫通する出力杆１４が固着されており，この出力杆１４の一端部は，ハウジング３の閉塞端壁に設けられた袋状の第１軸受孔１５1 に第１ブッシュ１６1 を介して摺動可能に支承され，その他端部は，固定コア７の中心部を貫通する第２軸受孔１５2 に第２ブッシュ１６2 を介して摺動可能に支承される。
【００２１】
而して，コイル１０を流れる電流値に比例した電磁推力を可動コア８を介して出力杆１４に付与することができる。
【００２２】
第１ブッシュ１６1 は，第１軸受孔１５1 の内周面に圧入して固着されるもので，この第１ブッシュ１６1 外周面には，その両端面間を連通する軸方向の第１連通溝１７1 が設けられる。また第２ブッシュ１６2 は，第２軸受孔１５2 の内周面に圧入して固着されるもので，この第２ブッシュ１６2 外周面にも，その両端面間を連通する軸方向の第２連通溝１７2 が設けられる。さらに可動コア８の外周面には，その端面間を連通する軸方向の第３連通溝１７3 が設けられる。
【００２３】
次に図３に示すように，バルブ部Ｖは，固定コア７側でハウジング３とかしめ結合されるバルブボディ２０と，このバルブボディ２０に出力杆１４と同軸状に形成された弁孔２１に嵌装されて出力杆１４の前端に当接するスプール２２と，このスプール２２をその後退方向，即ち出力杆１４との当接方向へ付勢する戻しばね２３と，バルブボディ２０に圧入されて戻しばね２３の外端を支承する栓体２４とから構成され，栓体２４のバルブボディ２０への圧入深さによって戻しばね２３のセット荷重が調整される。
【００２４】
スプール２２には，リニアソレノイド部Ｓ側から順に，第１ランド部２５1 ，第１環状溝部２６1 ，第２ランド部２５2 ，第２環状溝部２６2 ，第３ランド部２５3 が設けられ，第１及び第２ランド部２５1 ，２５2 は同径に形成され，第３ランド部２５3 の直径Ｄ3 は，第２ランド部２５2 の直径Ｄ2 より若干小さく設定される。
【００２５】
一方，バルブボディ２０の弁孔２１には，出力杆１４及びスプール２２の当接部が臨む作動室３０と，この作動室３０に隣接していて第１ランド部２５1 が常時摺動自在に嵌合する第１環状ランド部３１1 と，第１ランド部２５1 及び第２ランド部２５2 の対向端部が交互に嵌合，離脱する第２環状ランド部３１2 と，第２ランド部２５2 が常時摺動自在に嵌合する第３環状ランド部３１3 と，第３ランド部２５3 が常時摺動自在に嵌合する第４環状ランド部３１4 と，第１及び第２環状ランド部３１1 ，３１2 間に挟まれるように配置されるドレーン油室３４と，第２環状ランド部３１2 の内側でスプール２２の第１及び第２ランド部２５1 ，２５2 間に挟まれる出力油室３３と，第２及び第３環状ランド部３１2 ，３１3 間に挟まれるように配置される供給油室３２と，第２環状溝部２６2 を含む第２及び第３環状ランド部３１2 ，３１3 の境界部が臨む反力油室３５と，スプール２２及び栓体２４の両対向端面が臨むダンパ油室３６とが設けられ，このダンパ油室３６に前記戻しばね２３が収容される。
【００２６】
第３ランド部２５3 の外周面は，第４環状ランド部３１4 に嵌合する円筒摺動面２５3 ａと，この円筒摺動面２５3 ａから反力油室３５に向かって小径となるテーパ面２５3 ｂとで構成される。この第３ランド部２５3 の円筒摺動面２５3 ａと第４環状ランド部３１4 との間には，反力油室３５からダンパ油室３６にオイルをリーク供給し得る摺動間隙ｇが設けられる。
【００２７】
バルブボディ２０には，さらに，供給油室３２に連なる供給ポート３７，出力油室３３に連なる出力ポート３８，ドレーン油室３４に連なるドレーンポート３９，作動室３０に連なるブリーザポート４０が設けられる。その供給ポート３７は，ミッションケース２の供給油路４１を介して油圧源としての油圧ポンプ４２に接続され，出力ポート３８は，自動変速機におけるクラッチ等の油圧作動部４４に直接連なる出力油路４３に接続され，ドレーンポート３９及びブリーザポート４０は，バルブボディ２０内の後述する油溜め室４９（図１及び図４参照）に開放される。上記油圧ポンプ４２は，図示しないエンジンにより駆動されるものである。
【００２８】
出力油室３３は，また，スプール２２に形成したフィードバック油路４８を介して反力油室３５に連通される。
【００２９】
而して，スプール２２は，リニアソレノイド部Ｓの非通電時，戻しばね２３の付勢力で後退位置に保持されるとき，供給ポート３７及び出力ポート３８間を遮断するようになっており，したがってこの油圧制御弁１は常閉型である。
【００３０】
図１及び図４に示すように，バルブボディ２０には，ダンパ油室３６の周囲に油溜め室４９が設けられる。この油溜め室４９は，バルブボディ２０の接合面２０ｆに形成された凹部５１の開口部を，バルブボディ２０が接合されるミッションケース２の取り付け面２ｆで閉塞して画成されたもので，ダンパ油室３６の最上部は，この油溜め室４９にオリフィス５０を介して連通され，ダンパ油室３６からオリフィス５０を通して排出されるオイルが油溜め室４９に貯留するようになっている。
【００３１】
上記オリフィス５０は，バルブボディ２０をミッションケース２に接合する前に，前記凹部５１の開口部から斜め上向きの角度でダンパ油室３６及び油溜め室４６間の隔壁２０ａにドリル加工されるもので，そのドリル加工を可能にするために，オリフィス５０の軸線Ｌは，凹部５１の開口部を通るように配置される。
【００３２】
ミッションケース２には，油溜め室４９をオイルタンク４６に開放するドレーン油孔５２が設けられ，油溜め室４９を大気圧状態にしている。その際，ドレーン油孔５２の油溜め室４９への開口部は，オリフィス５０より上方に配置され，オリフィス５０から油溜め室４９に移ったオイルが，オリフィス５０をその油中に沈めるように，油溜め室４９に溜まってから，ドレーン通路５２に排出されるようになっている。
【００３３】
次に，この第１実施例の作用について説明する。
【００３４】
リニアソレノイド部Ｓの非通電時には，図３に示すように，スプール２２は戻しばね２３の付勢力をもって右動限位置（後退限）を占め，供給ポート３７及び出力ポート３８間を遮断すると共に，出力ポート３８及びドレーンポート３９間を導通するので，油圧ポンプ４２の作動中でも，油圧作動部４４はドレーンポート３９に連通されて非作動状態に保持される。
【００３５】
油圧ポンプ４２の作動中に，リニアソレノイド部Ｓのコイル１０に通電すると，その電流値に応じた電磁力が出力杆１４を介してスプール２２に左向きの推力として作用し，それの推力によりスプール２２が前進（図３で左動）するため，出力ポート３８及びドレーンポート３９間が遮断されると共に，供給ポート３７及び出力ポート３８間が導通し，その出力ポート３８からフィードバック油路４８を通して反力油室３５に油圧が即座に供給される。すると，この反力油室３５では，スプール２２の大径の第２ランド部２５2 及び小径の第３ランド部２５3 の対向端面の面積差に上記油圧を乗じた右向きの推力がリニアソレノイド部Ｓの出力に対抗するようにスプール２２に反力として作用する。そこで，スプール２２は，リニアソレノイド部Ｓの電磁力による左向きの推力と，戻しばね２３の右向きの付勢力及び反力油室３５の油圧による右向きの反力の合力とが釣り合うところまでスプール２２が移動して，供給ポート３７の開度を制御する。即ち，リニアソレノイド部Ｓの左向きの出力が大きいときは，スプール２２の左方への前進により，第１ランド部２５1 がドレーンポート３９及び出力ポート３８間を遮断すると共に，第２ランド部２５2 が出力ポート３８及び供給ポート３７間を導通させるので，出力ポート３８の油圧は増加し，反対に左向きの前記合力大きくなったときは，スプール２２の右方への後退により，第２ランド部２５2 が供給ポート３７及び出力ポート３８間を遮断すると共に，第１ランド部２５1 が出力ポート３８及びドレーンポート３９間を導通させるので，出力ポート３８の油圧は減少する。このようにして出力ポート３８の開度が制御されることにより，出力ポート３８からはコイル１０に通電される電流値に対応した油圧を取り出して，油圧作動部４４に供給することができる。
【００３６】
またスプール２２の前進に伴ない，上記にように供給ポート３７から反力油室３５に油圧が供給されると，その油圧の一部は，第３ランド部２５3 及びバルブボディ２０間の摺動間隙ｇとを通して隣りのダンパ油室３６に積極的にリーク供給される。したがって，ダンパ油室３６は，油圧制御弁１の作動初期から遅れなくオイルで満たすことができる。したがって，ダンパ油室３６は，油圧制御弁１の作動初期から遅れなく正常に機能することができる。即ち，スプール２２が振動すると，それに伴ないダンパ油室３６のオイルがオリフィス５０を行き来するとき発生するオリフィス５０の絞り抵抗により，スプール２２を制振することができ，スプール２２の振動による出力油圧の脈動を防いで，油圧作動部４４の安定した作動状態を確保することができる。
【００３７】
ダンパ油室３６が反力油室３５からのリークオイルで満たされると，余分なオイルは，オリフィス５０から隣の油溜め室４９に排出されて溜められる。そして，油溜め室４９の油面が，その油面下にオリフィス５０を沈めるまでの所定レベルに達すると，ドレーン油孔５２からオーバフローして，オイルタンク４６に還流することになる。
【００３８】
上記のように，ダンパ油室３６には反力油室３５からリークオイルが積極的に供給されること，並びにオリフィス５０が，それから油溜め室４９に排出されて溜められたオイルに浸漬されることにより，ダンパ油室３６を常に確実にオイルで満たして，ダンパ油室３６の良好な制振機能を得ることができる。したがって，ダンパ油室３６は，従来のようにオイルタンクの油中に浸漬させる必要もないから，油圧制御弁１の配置上の制約がなくなり，その汎用性を高めることができる。
【００３９】
またオリフィス５０はダンパ油室３６の最上部に開口させているから，ダンパ油室３６で発生した気泡をオイルと共にオリフィス５０を通して油溜め室４９側へ速やかに排出することができ，ダンパ油室３６の一層良好な制振機能を得ることができる。
【００４０】
ところで，上記オリフィス５０の軸線Ｌは，バルブボディ２０の凹部５１の下向き開口部を通るように配置されるので，油溜め室４６の外側壁に邪魔されることなく，ダンパ油室３６及び油溜め室４６間の隔壁２０ａにオリフィス５０をドリル加工することができ，そのドリル加工後，捨て孔を必要としないので，従来のような捨て孔を閉塞する閉じ栓も不要であり，コストの低減に寄与し得る。
【００４１】
一方，第３ランド部２５3 の外周面は，前述のように，第４環状ランド部３１4 に嵌合する円筒摺動面２５3 ａと，この円筒摺動面２５3 ａから反力油室３５に向かって小径となるテーパ面２５3 ｂとで構成されるので，第３ランド部２５3 及び第４環状ランド部３１4 間の摺動間隙ｇを通るリークオイルにより第３ランド部２５3 がサイドスラストを受けて第４環状ランド部３１4 の一側に片寄せされた場合でも，円筒摺動面２５3 ａの一側部は第４環状ランド部３１4 の内周面に当接するが，テーパ面２５3 ｂは，全周に亙り第４環状ランド部３１4 に接触することはない。したがって，反力油室３５の油圧は，上記テーパ面２５3 ｂの全周面に作用して，第３ランド部２５3 に調心力を付与することになり，第３ランド部２５3 の第４環状ランド部３１4 に対する円滑な摺動を確保することができる。
【００４２】
次に，図５に示す本発明の第２実施例について説明する。
【００４３】
この第２実施例では，第３ランド部２５3 の外周面は，円筒摺動面２５3 ａに，前記第１実施例のテーパ面２５3 ｂに代る縮径円筒面２５3 ｃを環状段部を介して連接して構成される。その他の構成は第１実施例と同様であるので，図６中，第１実施例と対応する部分には同一の参照符号を付して，その説明を省略する。
【００４４】
この第２実施例においても，第３ランド部２５3 が何らかの原因でサイドスラストを受けて第４環状ランド部３１4 の一側に片寄せされた場合でも，円筒摺動面２５3 ａの一側部は第４環状ランド部３１4 の内周面に当接するが，縮径円筒面２５3 ｃは，全周に亙り第４環状ランド部３１4 に接触することはない。したがって，反力油室３５の油圧は，上記縮径円筒面縮径円筒面２５3 ｃの全周面に作用して，第３ランド部２５3 に調心力を付与することになり，第３ランド部２５3 の第４環状ランド部３１4 に対する円滑な摺動を確保することができる。上記縮径円筒面２５3 ｃは，第１実施例のテーパ面２５3 ｂより加工が容易である利点がある。
【００４５】
最後に，図６に示す本発明の第３実施例について説明する。
【００４６】
この第４実施例では，第２ランド部２５2 の，第３環状ランド部２５3 から供給油室３２に跨がる部分にも，供給油室３２に向かって小径となるテーパ面２５2 ｂが形成される。その他の構成は第１実施例と同様であるので，図６中，第１実施例と対応する部分には同一の参照符号を付して，その説明を省略する。
【００４７】
この第４実施例によれば，第３ランド部２５3 のテーパ面２５3 ｂに反力油室３５の油圧が作用して第３ランド部２５3 に調心力が働くことに加えて，第２ランド部２５2 のテーパ面２５2 ｂにも供給油室３２の油圧が作用して第２ランド部２５2 に調心力が働くため，スプール２２に作用する調心力が増加し，スプール２２のより円滑な摺動状態を確保することができる。
【００４８】
本発明は，上記実施例及び変形例に限定されるものではなく，その要旨を逸脱することなく，種々の設計変更が可能である。例えば，図６の第４実施例においては，各テーパ面２５2 ｂ〜２５3 ｂを図５の第３実施例の縮径円筒面２５3 ｃに置き換えることもできる。
【図面の簡単な説明】
【００４９】
【図１】本発明の第１実施例に係る油圧制御弁の底面図。
【図２】図１の２−２線拡大断面図。
【図３】図１の３−３線拡大断面図。
【図４】図１及び図３の３−３線断面図。
【図５】本発明の第２実施例を示す，図３との対応図。
【図６】本発明の第３実施例を示す，図３との対応図。
【図７】従来の油圧制御弁の縦断面図。
【符号の説明】
【００５０】
Ｓ・・・・ソレノイド部
Ｖ・・・・バルブ部
１・・・・油圧制御弁
２０・・・バルブボディ
２２・・・スプール
２３・・・戻しばね
２５1 ・・第１ランド部
２５2 ・・第２ランド部
２５2 ｂ・・・第２ランド部の調心手段
２５3 ｂ・・・第３ランド部の調心手段
２５3 ｃ・・・縮径円筒面
２５3 ・・第３ランド部
３６・・・ダンパ油室
３７・・・供給ポート
３８・・・出力ポート
３９・・・ドレーンポート
４２・・・油圧源（油圧ポンプ）
４４・・・油圧作動部
４６・・・オイルタンク
４９・・・油溜め室
ｇ・・・・摺動間隙
【図１】
2006307942.tif 000003
【図２】
2006307942.tif 000004
【図３】
2006307942.tif 000005
【図４】
2006307942.tif 000006
【図５】
2006307942.tif 000007
【図６】
2006307942.tif 000008
【図７】
2006307942.tif 000009